(57)【特許請求の範囲】
【請求項１】
音声入力を増幅してスピーカに出力する構内放送装置に設けられるスピーカ故障検知装置であって、
前記スピーカを前記構内放送装置の出力又は測定手段に切り替える切替手段と、
前記スピーカに検査信号を供給する第１信号発生手段と、
前記検査信号に対して前記スピーカから出力される第１応答信号が正常範囲にあるか否かを判別する第１判別手段と、
可変抵抗器を有し、前記第１応答信号が正常範囲にない場合に、前記可変抵抗器の抵抗値を調節することにより、前記第１応答信号が正常範囲に入るように前記検査信号の大きさを調節する調節手段と、
前記第１応答信号が正常範囲にある場合の前記可変抵抗器の抵抗値を蓄積手段に格納する書込手段と、
前記蓄積手段に格納された前記可変抵抗器の抵抗値を前記可変抵抗器に設定し、前記スピーカに検査信号を供給する第２信号発生手段と、
前記可変抵抗器の抵抗値に対して前記スピーカから出力される第２応答信号が正常範囲にあるか否か判別する第２判別手段と、
を有する測定手段と、
前記第２判別手段による判別結果に基づいて前記スピーカの短絡を検知する故障検知手段と、
前記故障検知手段により前記スピーカの短絡が検知された場合に、前記スピーカと前記構内放送装置とを遮断する遮断手段と、
を備えるスピーカ故障検知装置。
【請求項２】
前記検査信号は電流信号であり、前記応答信号は電圧信号であり、
前記第１及び第２信号発生手段は電圧電流変換器を有し、
前記調節手段は、前記電圧電流変換器に接続され、
前記第１及び第２判別手段は、異なる設定値が設定された２つのコンパレータを有し、
前記書込手段は、前記電圧信号が所定範囲にある場合の前記可変抵抗器の抵抗値を前記蓄積手段に格納する、
請求項１に記載のスピーカ故障検知装置。
【請求項３】
音声入力を増幅してスピーカに出力する構内放送システムに設けられるスピーカ故障検知装置によりスピーカの故障を検知する検知方法であって、
前記スピーカに検査信号を供給する段階と、
前記検査信号に対して前記スピーカから出力される第１応答信号が正常範囲にあるか否かを判別する段階と、
前記第１応答信号が正常範囲にない場合に、可変抵抗器の抵抗値を調節することにより、前記第１応答信号が正常範囲に入るように前記検査信号の大きさを調節する段階と、
前記第１応答信号が正常範囲にある場合の前記可変抵抗器の抵抗値を蓄積手段に格納する段階と、
前記蓄積手段に格納された前記可変抵抗器の抵抗値を前記可変抵抗器に設定し、前記スピーカに検査信号を供給する段階と、
前記可変抵抗器の抵抗値に対して前記スピーカから出力される第２応答信号が正常範囲にあるか否か判別する段階と、
判別結果に基づいて前記スピーカの短絡を検知する段階と、
前記スピーカの短絡が検知された場合に、前記スピーカと前記構内放送装置とを遮断する段階と、
を含むスピーカ故障検知方法。
【請求項４】
音声入力を増幅してスピーカに出力する構内放送装置であって、
音声入力を増幅し、スピーカに出力する増幅器と、
前記構内放送装置に着脱自在である請求項１または２に記載のスピーカ故障検知装置と、
を備える構内放送装置。
【発明の詳細な説明】
【０００１】
【発明の属する技術分野】
本発明は、スピーカ故障検知装置及びスピーカ故障検知方法、なかでも、パワーアンプに接続されたスピーカが正常であるか否かを検査するスピーカ故障検知装置及びスピーカ故障検知方法に関する。
【０００２】
【従来の技術】
ビルやショッピングモール等のように複数のスピーカゾーンを有する構内放送システムでは、非常放送を確実に行うために、各ゾーンのスピーカラインの状態を監視する必要がある。具体的には、各ゾーンのスピーカラインの断線、短絡、地絡を定期的に検査し、各ゾーンのスピーカラインが正常であるか監視している。
【０００３】
このようなスピーカラインの検査には、パイロットトーン方式、エンドオブライン方式が知られている。
パイロットトーン方式では、構内放送装置から可聴帯域外の周波数（例えば２０ｋＨｚ）のパイロットトーンをスピーカラインに出力し、スピーカラインの末端部からモニタ用の信号線を配線して構内放送装置に設けられた検知器に入力する。そして、検知器によりパイロットトーンの有無を検知し、もとのパイロットトーンが検知された場合はスピーカラインが正常であると評価し、もとのパイロットトーンが検知されない場合はスピーカラインが断線、短絡又は地絡していると評価している。
【０００４】
エンドオブライン方式では、構内放送装置から１本の幹線により複数のスピーカに配線される構内放送システムに用いられる。この方式では、構内放送装置から最も離れた末端のスピーカに検知器を接続する。そして、構内放送装置からの可聴帯域外の周波数の信号をスピーカラインの幹線に出力し、この信号を検知器で検出して別線により構内放送装置に入力する。また直流信号をスピーカラインの幹線に出力する場合には、直流信号を遮断するスピーカが必要となる。
【０００５】
【発明が解決しようとする課題】
上記のパイロットトーン方式及びエンドオブライン方式では、スピーカと構内放送装置との間にスピーカラインとは別の配線を設ける必要があり、構内放送システムの設置工事の工数が多くなり、コストダウンの妨げとなっている。また、直流信号をスピーカラインに入力する場合には、直流信号を遮断するフィルタ等を備えたスピーカを使用する必要があり、この場合も構内放送システムのコストダウンの妨げとなる。
【０００６】
本発明の目的は、スピーカラインの故障検知の容易な構内放送システムを提供することにある。
【０００７】
【課題を解決するための手段】
発明１に係るスピーカ故障検知装置は、音声入力を増幅してスピーカに出力する構内放送装置に設けられるスピーカ故障検知装置であって、切替手段と測定手段と故障検知手段と遮断手段とを備えている。切替手段は、スピーカを構内放送装置の出力又は測定手段に切り替える。測定手段は、スピーカに検査信号を供給する第１信号発生手段と、検査信号に対してスピーカから出力される第１応答信号が正常範囲にあるか否かを判別する第１判別手段と、可変抵抗器を有し、第１応答信号が正常範囲にない場合に、可変抵抗器の抵抗値を調節することにより、第１応答信号が正常範囲に入るように検査信号の大きさを調節する調節手段と、第１応答信号が正常範囲にある場合の可変抵抗器の抵抗値を蓄積手段に格納する書込手段と、蓄積手段に格納された可変抵抗器の抵抗値を可変抵抗器に設定し、スピーカに検査信号を供給する第２信号発生手段と、可変抵抗器の抵抗値に対してスピーカから出力される第２応答信号が正常範囲にあるか否か判別する第２判別手段と、を有する。故障検知手段は、第２判別手段による判別結果に基づいて、スピーカの短絡を検知する。遮断手段は、故障検知手段によりスピーカの短絡が検知された場合に、スピーカと構内放送装置とを遮断する。ここで、スピーカには、構内放送装置からスピーカまでの配線（スピーカライン）も含まれるものとする。
【０００９】
このスピーカ故障検知装置では、複数のスピーカが構内放送装置に接続されている場合にも、切替手段により測定対象のスピーカに測定手段を接続させながら、初期設定及び故障検知を自動的に行うことができる。また、切替手段によりスピーカを構内放送装置の出力から切り離して故障検知装置に接続し、検査信号に対する応答信号を構内放送装置側の故障検知装置で検出するので、スピーカからの検査信号を受信するためのモニタ用の別線を必要としない。
【００１０】
ここで、第１検査信号は、例えば、電圧信号（又は電流信号）である。第１応答信号及び第２応答信号は、例えば電圧信号（又は電流信号）に対する電流信号（又は電圧信号）である。
【００１１】
この故障検知手段によれば、スピーカのインピーダンスを算出することなく、第２応答信号が正常範囲にあるか否か判別することにより、スピーカのインピーダンスの変化を評価し、短絡を検知することができる。これにより、回路構成が簡単になる。
【００１２】
発明２に係るスピーカ故障検知装置は、発明１に係るスピーカ故障検知装置において、検査信号は電流信号であり、第１応答信号及び第２応答信号は電圧信号である。また信号発生手段は電圧電流変換器を有している。また調節手段は、電圧電流変換器に接続されている。また第１判別手段及び第２判別手段は、異なる設定値が設定された２つのコンパレータを有している。
【００１３】
このスピーカ故障検知装置では、初期設定時には、電圧電流変換器が、入力電圧を電流信号（検査信号）に変換してスピーカに出力する。電流信号が印加されると、スピーカから第１電圧信号（第１応答信号）が２つのコンパレータに入力される。２つのコンパレータでは、第１電圧信号がそれぞれの設定値と比較され、第１電圧信号が２つの設定値の間にあるか判別される。第１電圧信号が２つの設定値の間ない場合には、可変抵抗器の抵抗値の大きさを調整し、第１電圧信号が２つの設定値の間になるようにする。書込手段は、調節後の抵抗値を蓄積手段に格納する。
【００１４】
故障検知時には、蓄積手段から抵抗値を読み出し、読み出した抵抗値に可変抵抗器の抵抗値を設定する。この抵抗値では、電圧電流変換器から初期設定時と同じ電流信号が出力され、この電流信号に対するスピーカからの第２電圧信号が２つのコンパレータに入力される。コンパレータでの比較の結果、第２電圧信号が２つの設定値の間にある場合には、スピーカは正常であると評価する。第２電圧信号が大きい設定値よりも大きい場合には、スピーカは断線していると評価する。第２電圧信号が小さい設定値よりも小さい場合には、スピーカは短絡していると評価する。
【００１５】
このスピーカ故障検知装置によれば、可変抵抗器の抵抗値を電気的に調整することにより、自動的にインピーダンスの評価を行うことができる。
発明３に係るスピーカ故障検知方法は、音声入力を増幅してスピーカに出力する構内放送装置に設けられるスピーカ故障検知装置によりスピーカの故障を検知する検知方法であって、スピーカに検査信号を供給する段階と、検査信号に対してスピーカから出力される第１応答信号が正常範囲にあるか否かを判別する段階と、第１応答信号が正常範囲にない場合に、可変抵抗器の抵抗値を調節することにより、第１応答信号が正常範囲に入るように検査信号の大きさを調節する段階と、第１応答信号が正常範囲にある場合の可変抵抗器の抵抗値を蓄積手段に格納する段階と、蓄積手段に格納された可変抵抗器の抵抗値を前記可変抵抗器に設定し、前記スピーカに検査信号を供給する段階と、可変抵抗器の抵抗値に対してスピーカから出力される第２応答信号が正常範囲にあるか否か判別する段階と、判別結果に基づいてスピーカの短絡を検知する段階と、スピーカの短絡が検知された場合に、スピーカと構内放送装置とを遮断する段階と、を含んでいる。
【００１６】
発明３に係るスピーカ故障検知装置によれば、発明１に係る故障検知装置において述べたと同様の作用効果を奏する。
発明４に係る構内放送装置は、音声入力を増幅してスピーカに出力する構内放送装置であって、音声入力を増幅してスピーカに出力する増幅器と、構内放送装置に着脱自在である発明１または２に係るスピーカ故障検知装置とを有している。
【００１７】
発明４に係る構内放送装置によれば、発明１または２に係る故障検出装置において述べたと同様の作用効果を奏する。
【００１８】
【発明の実施の形態】
〔構内放送システム〕
図１は、本発明の一実施形態に係るスピーカラインの故障検知装置が設けられた構内放送システムの概略構成図である。この構内放送システムは、構内放送装置１と、構内放送装置１の出力側に接続されたスピーカ２と、構内放送装置１の入力側に接続されたリモコン３とＢＧＭ音源４と非常放送音源５とを備えている。
【００１９】
構内放送装置１は、リモコン３、ＢＧＭ音源４及び非常放送音源５からの音声入力を調整及び増幅し、スピーカ２に出力する。スピーカ２は、ビルやショッピングモール内の複数のスピーカゾーン（ＺＯＮＥ１〜５）に設けられるスピーカ２１〜２５を含み、スピーカラインを介して構内放送装置１の出力側に接続されている。リモコン３は、音声を入力するためのマイクと、構内放送装置１への入力をマイク、ＢＧＭ音源４又は非常放送音源５からの音声入力に切り替える入力切替ボタン、構内放送装置１の出力と各ゾーンのスピーカ２１〜２５とを接続又は切断するための出力切替ボタン（図示せず）とを有している。
【００２０】
このような構内放送システムでは、リモコン３の入力切替ボタンにより構内放送装置１に入力する音源が選択され、リモコン３の出力切替ボタンにより構内放送装置１から出力するスピーカ２１〜２５が選択される。そして、選択されたマイク、ＢＧＭ音源４又は非常放送音源５からの音声入力が構内放送装置１に入力されると、入力された音声入力が構内放送装置１により調整及び増幅され、選択されたスピーカ２１〜２５に出力される。
【００２１】
〔スピーカ故障検知装置〕
図２は、構内放送装置１の機能ブロック図である。構内放送装置１は、ミキサーアンプ１０４と、パワーアンプ１０２と、ミキサーアンプ１０４及びパワーアンプ１０２を制御するＣＰＵ１０１と、スピーカ故障検知装置１０６とを主に備えている。ミキサーアンプ１０４の入力側は、音声入力端子１０５に接続されている。音声入力端子１０５は、リモコン３、ＢＧＭ音源４及び非常放送音源５からの音声信号をミキサーアンプ１０４に出力する。ミキサーアンプ１０４の出力側には、ミュート回路１０３が接続されている。ミュート回路１０３は、ミキサーアンプ１０４の出力側とパワーアンプ１０２の入力側とを接続又は遮断する。パワーアンプ１０２の出力側は、後述するゾーンセレクタ１０７を介して、５つのゾーン（ＺＯＮＥ１〜ＺＯＮＥ５）に配置されたスピーカ２１〜２５に接続されている。
【００２２】
スピーカ故障検出装置１０６は、切替手段としてのゾーンセレクタ１０７と、信号発生手段としての電圧電流変換器１０８と、調節手段としての可変抵抗器１０９と、第１及び第２判別手段としてのコンパレータ１１０及び１１１と、蓄積手段としてのメモリ１１２と、書込手段及び故障検知手段としてのＣＰＵ１１３とを備えている。ゾーンセレクタ１０７以外の故障検知装置の構成は、プリント基板上に配置されており、構内放送装置１に着脱可能である。
【００２３】
ゾーンセレクタ１０７は、パワーアンプ１０２の出力側と接続されている５つの接点ａと、スピーカラインを介してスピーカ２１〜２５に接続される５つの接点ｂと、後述するスイッチ１１４を介して電圧電流変換器１０８に接続される５つの接点ｃとを有している。このゾーンセレクタ１０７は、ＣＰＵ１１３からの信号により、接点ｂを接点ａ又は接点ｃに接続する。また接点ｃはスイッチ１１４の一端に接続されており、スイッチｃの他端は電圧電流変換器１０８の出力側に接続されている。また電圧電流変換器１０８の出力側は、交流信号を直流信号に変換する整流回路１１６に接続されている。
【００２４】
電圧電流変換器１０８は、設定電圧信号が入力されると、その設定電圧信号に対応した検査電流信号を出力する。設定電圧信号は、可聴帯域外の周波数（例えば２０ｋＨｚ）の交流電流信号である。電圧電流変換器１０８の入力側は、可変抵抗器１０９の一端に接続されている。可変抵抗器１０９は、電気的に抵抗値を調整可能な抵抗器であり、ＣＰＵ１１３からの信号により抵抗値を変化する。可変抵抗器１０９の他端には、バンドパスフィルタ１１５が接続されており、ＣＰＵ１１３からの設定電圧信号に含まれるノイズを除去し、ノイズ除去後の設定電圧信号を可変抵抗器１０９に出力する。ＣＰＵ１１３から設定電圧信号が可変抵抗器１０９に入力されると、設定電圧信号は、可変抵抗器１０９の抵抗値により電圧降下されて大きさが調整される。調整された設定電圧信号が電圧電流変換器１０８に入力されると、電圧電流変換器１０８は、入力された設定電圧信号に対応する検査電流信号を出力する。
【００２５】
電圧電流変換器１０８から検査電流信号がスイッチ１１４及びゾーンセレクタ１０７を介してスピーカ２１〜２５に入力されると、検査電流信号に対応する検査電圧信号がゾーンセレクタ１０７及びスイッチ１１４を介して整流回路１１６に入力される。整流回路１１６は、検査電圧信号を整流するダイオード及び整流された検査電圧信号を平滑するコンデンサを有している。整流回路１１６は、入力された検査電圧信号を整流及び平滑し、直流検査電圧信号をコンパレータ１１０及び１１１に出力する。
【００２６】
コンパレータ１１０の正相入力端子は抵抗器Ｒ３及び抵抗器Ｒ２の接点に接続されており、逆相入力端子は整流回路１１６の出力側に接続されており、出力端子はＣＰＵ１１３に接続されている。コンパレータ１１１の正相入力端子は整流回路１１６の出力側に接続されており、逆相入力端子は抵抗器Ｒ２及び抵抗器Ｒ１の接点に接続されており、出力端子はＣＰＵ１１３に接続されている。コンパレータ１１０の正相入力端子には、電源ラインＶＤＤが抵抗器Ｒ３と抵抗器Ｒ２及びＲ１とで分圧された設定電圧Ｖ２が入力されている。またコンパレータ１１１の逆相入力端子には、電源ラインＶＤＤが抵抗器Ｒ３及びＲ２と抵抗器Ｒ１とで分圧された設定電圧Ｖ１が入力されている。これらの設定値Ｖ１及びＶ２は、スピーカ２１〜２５のインピーダンスが変化しているか否かを判別する基準となる範囲であり、Ｖ１＜Ｖ２に設定する。コンパレータ１１０は、整流回路１１６から逆相入力端子に入力される直流検査電圧と設定電圧Ｖ２とを比較し、直流検査電圧が設定電圧Ｖ２よりも低ければＨｉｇｈを出力し、直流検査電圧が設定電圧Ｖ２よりも高ければＬｏｗを出力する。コンパレータ１１１は、整流回路１１６から正相入力端子に入力される直流検査電圧と設定電圧Ｖ１とを比較し、直流検査電圧が設定電圧Ｖ１よりも高ければＨｉｇｈを出力し、直流検査電圧が設定電圧Ｖ１よりも低ければＬｏｗを出力する。
【００２７】
コンパレータ１１０、１１１の出力及びインピーダンスの関係を図３に示す。図３に示すようにコンパレータ１１０及び１１１の出力が共にＨｉｇｈであるときには、インピーダンスは変化しておらず、測定対象のスピーカライン及びスピーカ２１〜２２は正常であると判断する。またコンパレータ１１０の出力がＨｉｇｈ、コンパレータ１１１の出力がＬｏｗであるときには、インピーダンスは大幅に小さくなっており、測定対象のスピーカライン及びスピーカ２１〜２２は短絡していると判断する。またコンパレータ１１０の出力がＬｏｗ、コンパレータ１１１の出力がＨｉｇｈであるときには、インピーダンスは大幅に大きくなっており、測定対象のスピーカライン及びスピーカ２１〜２２は断線していると判断する。
【００２８】
ＣＰＵ１１３は、コンパレータ１１０及び１１１からの出力に基づいて、図３のようにスピーカ２１〜２５のインピーダンスを評価する。またＣＰＵ１１３には、初期設定／故障検知の起動入力端子１１７が接続されている。この起動入力端子１１７には、リモコン３から初期設定／故障検知の起動信号が入力される。またＣＰＵ１１３には、アラーム出力端子が接続されており、スピーカライン及びスピーカ２において故障が検知されると、該当スピーカゾーンの故障を知らせるアラームをリモコン３に出力する。またＣＰＵ１１３には、ＲＯＭ等の不揮発性のメモリ１１８が接続されており、各スピーカゾーンのスピーカライン及びスピーカ２１〜２５のインピーダンスの初期値が蓄積されている。
【００２９】
このような故障検知装置では、通常の放送、ＢＧＭの放送又は非常放送を行う場合には、リモコン３からの信号によりＣＰＵ１０１が、スイッチ１１４を開き、ゾーンセレクタ１０７を制御して放送しようとするスピーカゾーンに接続された接点ｂを接点ａに接続する。例えば、全てのゾーンＺＯＮＥ１〜５に放送を出力する場合には、ＺＯＮＥ１〜５に接続される接点ｂを全て接点ａに接続して放送を行う。
【００３０】
〔故障検知動作〕
以下、例として、ＺＯＮＥ１〜５の全てに放送を行っており、ゾーンセレクタ１０７の全ての接点ｂが接点ａに接続されている場合について説明する。ＺＯＮＥ１〜５のいずれかに放送を行っている場合も同様の処理が行われる。
【００３１】
〔初期設定時〕
リモコン３からＣＰＵ１１３に初期設定の起動入力が入力されると、ＣＰＵ１１３がミュート回路１０３を制御してパワーアンプ１０２への音声入力を遮断する。次に、ＣＰＵ１１３は、スイッチ１１４を閉じ、電圧電流変換器１０８及び整流回路１１６と接点ｃとを接続する。続いて、ＣＰＵ１１３は、ゾーンセレクタ１０７を制御し、ＺＯＮＥ１に接続されている接点ｂのみを接点ａから接点ｃに接続する。
【００３２】
ＺＯＮＥ１のみを電圧電流変換器１０８及び整流回路１１６と接続した後、ＣＰＵ１１３から設定電圧信号をバンドパスフィルタ１１５に出力する。設定信号は、バンドパスフィルタ１１５及び可変抵抗器１０９を介して電圧電流変換器１０８に入力され、電圧電流変換器１０８から検査電流信号が出力される。検査電流信号は、スイッチ１１４及びゾーンセレクタの接点ｃ及び接点ｂを介してＺＯＮＥ１のスピーカライン及びスピーカ２１に入力され、この検査電流信号に対応する検査電圧信号が整流回路１１６に入力され、直流検査電圧信号に変換される。直流検査電圧信号は、コンパレータ１１０及び１１１に入力され、上述したように設定値Ｖ１及びＶ２とそれぞれ比較される。
【００３３】
次に、検査電圧信号が設定値Ｖ１からＶ２の範囲に入るように可変抵抗器１０９の抵抗値を調節する。このように調節された可変抵抗器１０９の抵抗値をスピーカライン及びスピーカ２１のインピーダンスの初期値としてメモリ１１２に格納する。
【００３４】
ＺＯＮＥ２〜５についても上記と同様に可変抵抗器１０９の抵抗値を測定し、初期値としてメモリ１１２に格納する。
ＺＯＮＥ１〜５について初期値の格納が完了した後、スイッチ１１４を開き、ミュート回路１０３を制御してパワーアンプ１０２に音声信号を入力し、放送を再開する。
【００３５】
〔故障検知時〕
リモコン３からＣＰＵ１１３への故障検知の起動入力又はＣＰＵ１１３の内臓インターバルタイマにより、以下の故障検知シーケンスが開始される。まず、ＣＰＵ１１３がミュート回路１０３を制御してパワーアンプ１０２への音声入力を遮断する。次に、ＣＰＵ１１３は、スイッチ１１４を閉じ、電圧電流変換器１０８及び整流回路１１６と接点ｃとを接続する。続いて、ＣＰＵ１１３は、ゾーンセレクタ１０７を制御し、ＺＯＮＥ１に接続されている接点ｂのみを接点ａから接点ｃに接続する。
【００３６】
ＺＯＮＥ１のみを電圧電流変換器１０８及び整流回路１１６と接続した後、メモリ１１８からＺＯＮＥ１の初期値（抵抗値）を読み出し、可変抵抗器１０９の抵抗値を初期値に設定する。可変抵抗器９の抵抗値を初期値に設定した後、ＣＰＵ１１３から設定電圧信号をバンドパスフィルタ１１５に出力する。この状態で電圧電流変換器１０８から初期設定時と同じ大きさの検査電圧信号が出力される。検査電流信号は、ＺＯＮＥ１のスピーカライン及びスピーカ２１に入力され、この検査電流信号に対応する検査電圧信号が整流回路１１６に入力され、直流検査電圧信号に変換される。直流検査電圧信号は、コンパレータ１１０及び１１１に入力され、上述したように設定値Ｖ１及びＶ２とそれぞれ比較される。この比較結果によって、コンパレータ１１０及び１１１からＣＰＵ１１３にＨｉｇｈ又はＬｏｗの信号が入力される。ＣＰＵ１１３は、図３に示すように、ＺＯＮＥ１のスピーカライン及びスピーカ２１のインピーダンスを評価する。
【００３７】
即ち、コンパレータ１１０及び１１１の出力が共にＨｉｇｈである場合には、直流検査電圧値がＶ１からＶ２の範囲にあり、ＺＯＮＥ１のスピーカライン及びスピーカ２１のインピーダンスは初期値からの変動が小さいと評価する。このとき、ＺＯＮＥ１のスピーカライン及びスピーカ２１は正常であると評価し、ゾーンセレクタ１０７を制御し、ＺＯＮＥ１に接続された接点ｂを接点ｃから接点ａに戻す。
【００３８】
コンパレータ１１０出力がＨｉｇｈ、コンパレータ１１１の出力がＬｏｗである場合には、直流検査電圧値がＶ１よりも低くなっており、ＺＯＮＥ１のスピーカライン及びスピーカ２１のインピーダンスは初期値よりも大幅に小さくなったと評価する。このとき、ＺＯＮＥ１のスピーカライン及びスピーカ２１は短絡していると評価し、ゾーンセレクタ１０７を制御し、ＺＯＮＥ１に接続された接点ｂを接点ｃに固定し、以後パワーアンプ１０２からの出力をＺＯＮＥ１のスピーカライン及びスピーカ２１に出力しない。この場合、ＺＯＮＥ１のスピーカライン又はスピーカ２１に異常があることを知らせるアラームが、ＣＰＵ１１３からリモコン３に出力される。
【００３９】
コンパレータ１１０出力がＬｏｗ、コンパレータ１１１の出力がＨｉｇｈである場合には、直流検査電圧値がＶ２よりも大きくなっており、ＺＯＮＥ１のスピーカライン及びスピーカ２１のインピーダンスは初期値よりも大幅に大きくなったと評価する。このとき、ＺＯＮＥ１のスピーカライン及びスピーカ２１は断線していると評価し、ゾーンセレクタ１０７を制御し、ゾーンセレクタ１０７を制御し、ＺＯＮＥ１に接続された接点ｂを接点ｃから接点ａに戻す。この場合、ＺＯＮＥ１のスピーカライン又はスピーカ２１に異常があることを知らせるアラームが、ＣＰＵ１１３からリモコン３に出力される。
【００４０】
ＺＯＮＥ２〜５についても上記と同様に検知を実行する。
ＺＯＮＥ１〜５について故障の検知が終了すると、スイッチ１１４を開き、ミュート回路１０３を制御してパワーアンプ１０２に音声信号を入力する。このとき、短絡していると判断されたゾーンのスピーカライン及びスピーカ２１〜２５には、パワーアンプ１０２の出力が伝達されず、正常又は断線と判断されたゾーンのスピーカライン及びスピーカ２１〜２５にパワーアンプ１０２の出力が伝達される。
【００４１】
〔まとめ〕
本実施形態によれば、スピーカライン及びスピーカ２のインピーダンスの初期値と、故障検知時におけるインピーダンスとを比較することにより、スピーカライン及びスピーカ２の短絡及び断線を検知することができる。また、スピーカライン及びスピーカ２の短絡及び断線を検知した場合には、該当スピーカゾーン（ＺＯＮＥ１〜５）を切り離すことにより、パワーアンプ１０２の故障を防止するとともに、正常なスピーカゾーンについては放送を継続することができる。
【００４２】
また、構内放送システムの設置時に初期値を設定し、可変抵抗器１０９を電気的に制御して抵抗値を初期値として蓄積しておくので、初期設定作業を自動化することができる。設定の自動化により、誤設定を防止し、設置作業を容易にすることができる。
【００４３】
また、複数のスピーカゾーン（ＺＯＮＥ１〜５）をＣＰＵ１１３により自動的に切り替えながら、初期設定及び故障検知を行うことができるので、回路の簡素化及び初期設定作業の短縮化を図ることができる。
【００４４】
また、スピーカライン又はスピーカ２からの検知信号を受信する別線が必要ないので、構内放送システムの設置工事が容易となる。また、構内放送システムのコストダウンを図ることができる。
【００４５】
ゾーンセレクタ１０７以外の故障検知装置の構成が配置されたプリント基板は構内放送設備１に着脱可能であるので、プリント基板をオプションとして販売することができる。
【００４６】
〔他の実施形態〕
上記実施形態では、５つのＺＯＮＥ１〜ＺＯＮＥ５に構内放送装置１が接続されている場合を示したが、５つ未満及び６つ以上のスピーカゾーンに構内放送装置１が接続される場合も、上記と同様の構成により故障検知装置を構成することができる。
【００４７】
また上記実施形態では、スピーカライン及びスピーカ２に検査電流信号を入力し、検査電流信号に対する検査電圧信号を評価したが、逆に、検査電圧信号を入力し、検査電圧信号を評価するように構成してもよい。
【００４８】
また上記実施形態では、リモコン３から初期設定／故障検知の起動信号が入力され、スピーカライン及びスピーカ２の異常を知らせるアラームがリモコン３に出力されているが、構内放送設備１本体に設けられたボタンから起動入力を受け付け、構内放送設備１本体に設けられたＬＥＤ等の表示部にアラームを出力するように構成しても良い。
【００４９】
【発明の効果】
本発明によれば、構内放送システムにおいて、スピーカラインの故障検知が容易になる。
【図面の簡単な説明】
【図１】本発明の一実施形態に係る故障検知装置が採用される構内放送システムの概略構成図。
【図２】本発明の一実施形態に係る故障検知装置の概略構成図。
【図３】本発明の一実施形態に係る故障検知装置におけるインピーダンスの評価方法を説明するための図。
【符号の説明】
１              構内放送装置
２              スピーカ
１０７          ゾーンセレクタ
１０８          電圧電流変換器
１０９          電子ボリューム
１１０、１１１  コンパレータ
１１２          メモリ
１１３          ＣＰＵ
【図１】
0004209596.tif 000002
【図２】
0004209596.tif 000003
【図３】
0004209596.tif 000004